(57)【特許請求の範囲】
【請求項１】
便器の側方に便器用手すりを取り付ける構造において、便器付属装置が載設される便器の後部のリム面に、該リム面よりも一段下がった凹部を設け、便器用手すりを取り付けるための手すり取付用ベースプレートを凹部内に着脱可能に収納し、凹部の内側に便器付属装置の外殻下面を受けるための凸部を立設すると共に、手すり取付用ベースプレートにその厚み方向に凸部が貫通する貫通孔を穿設してなることを特徴とする便器の手すり取り付け構造。
【請求項２】
便器の側方に便器用手すりを取り付ける構造において、便器付属装置が載設される便器の後部のリム面に、該リム面より一段下がった凹部を設け、便器用手すりを取り付けるための手すり取付用ベースプレートを凹部内に着脱可能に収納し、便器付属装置の外殻下面から下方に向かって凹部の底面にて支持される凸部を垂設すると共に、手すり取付用ベースプレートにその厚み方向に凸部が貫通する貫通孔を穿設してなることを特徴とする便器の手すり取り付け構造。
【発明の詳細な説明】
【０００１】
【発明の属する技術分野】
本発明は、便器の手すり取り付け構造に関するものである。
【０００２】
【従来の技術】
従来、便器用手すり２が取り付け可能な便器１においては、図７に示すように、便器用手すり２が取り付けられる手すり取付用ベースプレート６’を便器１の後部１ａのリム面４より一段下がった凹部５内に収納し、手すり取付用ベースプレート６’の便器１側方に突出した突出部１５の下端部１５ａに対して手すり支持バー１６の下端部１６ａをボルトなどで固定するようにしている。
【０００３】
一方、便器用手すり２を設置しない場合は、手すり取付用ベースプレート６’のかわりに平板状の隙間埋め用ベースプレート９を凹部５内に収納し、隙間埋め用ベースプレート９の上面とリム面４とを面一にすることで、便器付属装置３の外殻３ａ下面をガタツキなく取り付けるようにしている。
【０００４】
ところで、上記手すり取付用ベースプレート６’又は隙間埋め用ベースプレート９を取り付けるにあたっては、ネジ２３を手すり取付用ベースプレート６’（或いは隙間埋め用ベースプレート９）のネジ挿通孔２０から便器１の凹部５内に設けたネジ挿通孔２２に挿通して、便器１の凹部５の端縁下方に配置したネジ止め板２５のネジ孔２６ａに螺合させるようにしている。一方、上記便器付属装置３を取り付けるにあたっては、ボルト３５の頭部を便器付属装置３の外殻３ａ下面に設けたボルト取付孔（図示せず）に取り付け、ボルト３５のネジ部を手すり取付用ベースプレート６’（或いは隙間埋め用ベースプレート９）のボルト挿通孔４０から便器１の凹部５内に設けたボルト挿通孔４１に挿通し、さらに便器１の凹部５の端縁下方のネジ止め板２５に設けた開口孔２６ｂを貫通して下方に突出させ、ナット６０にて締結するようにしている。なお図７中の１２は便座、１２ａは便座カバーである。
【０００５】
【発明が解決しようとする課題】
ところが従来では、便器用手すり２を設置しないときは、便器付属装置３の外殻３ａ下面がリム面４から凹部５に跨って載置すると、凹部５においてガタツキが発生するという問題があるため、従来では、手すり取付用ベースプレート６’とは別の隙間埋め用ベースプレート９を用意する必要があり、このため従来では部品点数が増加してコスト高を招き、そのうえ、プレートの種類が増えることで部品管理や施工に手間がかかるという問題もある。
【０００６】
本発明は、上記の従来例の問題点に鑑みて発明したものであって、その目的とするところは、便器用手すりを設置しない場合でも便器付属装置のガタツキの発生を防止できると共に、部品点数の削減及び低コスト化を図ることができ、さらにベースプレートの種類を減らして部品管理や省施工化を実現できる便器の手すり取り付け構造を提供するにある。
【０００７】
【課題を解決するための手段】
上記課題を解決するために本発明は、便器１の側方に便器用手すり２を取り付ける構造において、便器付属装置３が載設される便器１の後部１ａのリム面４に、該リム面４よりも一段下がった凹部５を設け、便器用手すり２を取り付けるための手すり取付用ベースプレート６を凹部５内に着脱可能に収納し、凹部５の内側に便器付属装置３の外殻３ａ下面を受けるための凸部７を立設すると共に、手すり取付用ベースプレート６にその厚み方向に凸部７が貫通する貫通孔８を穿設してなることを特徴としており、このように構成することで、便器用手すり２を設置しない場合であっても、便器付属装置３を便器１の凹部５内に設けた凸部７で受けることによって、便器付属装置３を凹部５にガタツキなく取り付けることができるようになり、従って、便器１の凹部５内に従来のような隙間埋め用ベースプレートを取り付ける必要がなくなる。
【０００８】
また本発明にあっては、便器１の側方に便器用手すり２を取り付ける構造において、便器付属装置３が載設される便器１の後部１ａのリム面４に、該リム面４より一段下がった凹部５を設け、便器用手すり２を取り付けるための手すり取付用ベースプレート６を凹部５内に着脱可能に収納し、便器付属装置３の外殻３ａ下面から下方に向かって凹部５の底面５ａにて支持される凸部７を垂設すると共に、手すり取付用ベースプレート６にその厚み方向に凸部７が貫通する貫通孔８を穿設してなることを特徴としており、このように構成することで、便器用手すり２を設置しない場合であっても、便器付属装置３を便器付属装置３の外殻３ａ下面に突設した凸部７を便器１の凹部５の底面５ａにて支持できるので、便器付属装置３を凹部５にガタツキなく取り付けることができるようになる。
【０００９】
【発明の実施の形態】
以下、本発明を添付図面に示す実施形態に基づいて説明する。
【００１０】
本実施形態の便器１は、図１に示すように、便器１の後部１ａのリム面４に便器付属装置３の外殻３ａ下面が載設される凹部５が設けられ、さらにその後方にロータンク１０を載置するための凹所１１が設けられている。便器付属装置３には温水洗浄装置（図示せず）が内蔵されていると共に便器付属装置３の外殻３ａの前面側には開閉自在に便座１２及び便座カバー１２ａが取り付けられている。また、便器１の側方には便器用手すり２が取り外し可能に取り付けられており、便器用手すり２を取り付けるための手すり取付用ベースプレート６が便器１に設けた凹部５内に収納されるようになっている。なお手すり取付用ベースプレート６は金属製からなり、従来と同様、手すり取付用ベースプレート６の両端部が凹部５の外側方に突出し、この突出部１５の下端部１５ａに手すり支持バー１６の下端部１６ａがボルトなどで固定されるようになっている。
【００１１】
上記手すり取付用ベースプレート６が収納される凹部５は、便器１の後部１ａのリム面４より一段下がって形成されている。この凹部５は上方に開口していると共に、便器１の幅方向Ａ全長に延びており、幅方向Ａの両側にそれぞれ開口している。凹部５内には手すり取付用ベースプレート６が着脱可能に収納できるようになっている。この凹部５の深さは、図２（ａ）に示すように、手すり取付用ベースプレート６を凹部５内に収納したときに手すり取付用ベースプレート６の上面とリム面４とが段差のない面一となるような深さとなっている。
【００１２】
上記凹部５の内側の底面５ａの一部には、便器付属装置３の外殻３ａ下面を受けるための凸部７が立設されている。この凸部７の上端面７ａはリム面４と略面一となっている。図１の例では凸部７は平面視長円形状に形成されていると共に、その長軸方向が便器１の幅方向Ａに向けられている。一方、上記手すり取付用ベースプレート６にはその厚み方向に凸部７が貫通することができる平面視長円形状をした貫通孔８が穿設されており、手すり取付用ベースプレート６を凹部５内に収納したときに貫通孔８内に凸部７が納まるようにしてある。さらに凸部７の高さは手すり取付用ベースプレート６の厚みと略等しく設定されており、これにより手すり取付用ベースプレート６を凹部５内に収納したときでも、凸部７の上端面７ａにより便器付属装置３の外殻３ａ下面を受けることができるようになっている。
【００１３】
次に、上記手すり取付用ベースプレート６を便器１に固定するにあたっては、手すり取付用ベースプレート６に上記貫通孔８以外に複数のネジ挿通孔２０が設けられ、便器１の凹部５内にはネジ挿通孔２０と対向するボス２１が複数突設されている。各ボス２１の内側に設けられたボス孔２２は便器１の後部１ａを上下方向に貫通しており、手すり取付用ベースプレート６の上方からネジ２３をネジ挿通孔２０に挿通し、さらにボス孔２２に挿通して、便器１の凹部５の端縁下方に配置したネジ止め板２５のネジ孔２６ａに螺合させることで、手すり取付用ベースプレート６を便器１に固定できるようになっている。ここでは、上記ボス２１の高さを便器付属装置３の外殻３ａ下面を受けるための凸部７よりも低くして、図２（ａ）のようにボス２１の上面に手すり取付用ベースプレート６を載置できるようにしてある。またこのとき手すり取付用ベースプレート６の上面とリム面４とが面一となるようにボス２１の高さが決められており、これにより手すり取付用ベースプレート６の上面が凸部７の上端面７ａよりも上方に突出しなくなり、便器付属装置３の外殻３ａ下面を凸部７の上端面７ａにて確実に受け止めることができる構造となっている。
【００１４】
次に、便器付属装置３を便器１に固定するにあたっては、図３に示すように、便器付属装置３の外殻３ａ下面側に下方及び後方にそれぞれ開口した断面Ｔ字状をしたボルト取付孔１００が複数設けられ、便器１の凹部５内に設けた凸部７には、図２（ａ）に示すように、ボルト取付孔１００の先端に設けたボルト挿出孔３０と対向する位置に複数のボルト挿通孔３１が形成されている。このボルト挿通孔３１は、凸部７を上下方向に貫通して便器１の凹部５の端縁下方に開口している。そして、ボルト３５の頭部３５ａを便器付属装置３のボルト取付孔１００に嵌め込み、ボルト３５のネジ部３５ｂをボルト挿通孔３０から、凸部７のボルト挿通孔３１に挿通し、さらに便器１の凹部５の端縁下方に配置したネジ止め板２５の開口孔２６ｂを貫通して下方に突出させて、下方からナット６０（図１）を締結することによって、便器付属装置３を便器１の後部１ａのリム面４から凹部５に亘ってガタツキなく固定できるようになっている。
【００１５】
しかして、ユーザーが最初に便器用手すり２のない便器１を購入しても、後から便器用手すり２を取り付けることができるようになり、逆に、最初に便器用手すり２付き便器１を購入しても、後から便器用手すり２及び手すり取付用ベースプレート６を取り外すことができる。これらいずれの場合も、便器１の凹部５内に従来のような隙間埋め用ベースプレート９（図７）を取り付けることなく、便器付属装置３を凸部７によってガタツキなく取り付けることができるという効果が得られる。つまり、便器１の凹部５に便器付属装置３の外殻３ａ下面を受ける凸部７を設け、手すり取付用ベースプレート６に凸部７が貫通する貫通孔８を設けたことによって、手すり取付用ベースプレート６を凹部５に収納した図２（ａ）の状態又は収納しない図２（ｂ）の状態のいずれにおいても、便器付属装置３の外殻３ａ下面をリム面４から凸部７の上端面７ａに亘ってガタツキのない状態で受け止めることができるようになり、便器付属装置３の取り付け精度を高めることができるものである。しかも従来のような隙間埋め用ベースプレート９（図７）が不要となるため、従来よりも部品点数を削減して低コスト化を図ることができると共に、ベースプレートの種類を減らすことができるので、部品の管理が容易となり、省施工化を実現できるものである。
【００１６】
また本例では、凸部７を平面視長円形状に形成し、且つその長軸方向を便器１の幅方向Ａ（図１）に向けているため、凹部５の内側で凸部７を幅広に形成できるようになり、これにより、便器付属装置３の外殻３ａ下面を凸部７にて受ける面積が増加して、便器付属装置３のガタツキ防止に効果的となる。しかも、凸部７を便器１の幅方向Ａに長くすることで、手すり取付用ベースプレート６に設けられる貫通孔８の形状も手すり取付用ベースプレート６の長手方向に延びるようになり、これにより、手すり取付用ベースプレート６の幅方向（図１の便器の前後方向Ｂと同方向）においては貫通孔８の締める開口面積を小さくできるため、貫通孔８の開口面積を大きくしたにもかかわらず、手すり取付用ベースプレート６の強度が貫通孔８によって低下する心配がなくなり、手すり取付用ベースプレート６の強度を十分に確保できるものとなる。
【００１７】
また、手すり取付用ベースプレート６を凹部５の底面５ａから突出したボス２１の上面に載置しているため、手すり取付用ベースプレート６の厚みが薄い場合でも、便器付属装置３の外殻３ａ下面に対して手すり取付用ベースプレート６の上面全体を密着させることができるようになり、これにより、便器付属装置３のガタツキを防止できるだけでなく、さらに手すり取付用ベースプレート６のガタツキも同時に防止できるようになり、便器用手すり２の取り付け精度を向上させることができるという利点があり、そのうえボス２１によって便器１の後部１ａの強度を確保できるという利点がある。
【００１８】
さらに、便器付属装置３の外殻３ａ下面から突出したボルト３５を便器１の凸部７に設けたボルト挿通孔３１に挿通して、便器１の凹部５の端縁下方において締結するようにしているため、ボルト３５の取り付け時に手すり取付用ベースプレート６が妨げとならないものであり、そのうえ、ボルト３５の締結位置は、便器付属装置３の外殻３ａ下面と凸部７との当接位置で行われているため、便器付属装置３の外殻３ａ下面や便器１に無理な締め付け力が加わらないようにできるという利点もある。
【００１９】
なお、本実施形態では凸部７を便器１の凹部５に一体に形成したが、必ずしもこれには限られず、凸部７を便器１とは別部品で構成し、この凸部７を凹部５内に取り付けることも可能である。
【００２０】
図４〜図６は本発明の他の実施形態を示している。本例では、便器付属装置３の外殻３ａ下面から下方に向かって凹部５の底面５ａに当接可能な凸部７を垂設し、手すり取付用ベースプレート６にその厚み方向に凸部７が貫通する貫通孔８を穿設し、便器付属装置３の凸部７を凹部５の底面５ａにて支持したものである。他の構成は図１の実施形態と同様であり、異なる点だけを述べる。便器１の凹部５内には凸部７は設けられず、凹部５の底面５ａ全体はフラットに形成されている。一方、便器付属装置３の外殻３ａ下面には、凹部５の底面５ａに支持される凸部７が垂設されている。この凸部７は、図６に示すように、下面から見て長円形状に形成されていると共に、その長軸方向が便器１の幅方向Ａ（図４）に向けられている。凸部７の内側には、ボルト取付孔１００に連通する段落ち空間部３０ａが設けられており、この段落ち空間部３０ａの底に設けたボルト挿出孔３０を介してボルト３５のネジ部３５ｂを凸部７の下端面７ｂから下方に突出させることができる構造となっている。一方、手すり取付用ベースプレート６には図４に示すように、その厚み方向に凸部７が貫通することができる平面視長円形状をした貫通孔８が穿設されており、手すり取付用ベースプレート６を凹部５内に収納したときに貫通孔８内に凸部７が納まるようにしてある。さらに凸部７の垂下長は手すり取付用ベースプレート６の厚みより厚く設定されており、これにより手すり取付用ベースプレート６を凹部５内に収納したときでも、凸部７の下端面７ｂを凹部５の底面５ａにて支持できるようになっており、この結果、図１の実施形態と同様、便器用手すり２を設置しない場合においても、便器付属装置３をガタツキなく取り付けることができる等の利点が得られるものであり、そのうえ、便器付属装置３の外殻３ａ下面に凸部７を突設させることで便器付属装置３の外殻を凸部７によって補強できるという利点があり、また、便器１の凹部５内には凸部７を突設する必要がないため、凹部５の底面５ａ全体をフラットにでき、便器１の構造を簡素化できるという利点もある。なお手すり取付用ベースプレート６の取り付け方法及び便器付属装置３の取り付け方法は前記実施形態と同様である。
【００２１】
なお、図４〜図６の実施形態では凸部７を便器付属装置３の外殻３ａ下面に一体に形成したが、必ずしもこれに限られず、凸部７を便器付属装置３とは別部品で構成し、この凸部７を便器付属装置３の外殻３ａ下面に取り付けることも可能である。
【００２２】
また、前記各実施形態において、便器付属装置３として、温水洗浄装置を内蔵した便座１２付き便器付属装置を例示したが、温水洗浄装置を持たない便座１２のみを取り付けた便座ケースであってもよいものである。
【００２３】
【発明の効果】
上述のように本発明にあっては、便器付属装置が載設される便器の後部のリム面に、該リム面よりも一段下がった凹部を設け、便器用手すりを取り付けるための手すり取付用ベースプレートを凹部内に着脱可能に収納し、凹部の内側に便器付属装置の外殻下面を受けるための凸部を立設すると共に、手すり取付用ベースプレートにその厚み方向に凸部が貫通する貫通孔を穿設してなるので、便器用手すりを設置しない場合であっても、便器付属装置を便器の凹部内に設けた凸部で受けることによって、便器付属装置を凹部にガタツキなく取り付けることができるようになり、従って、便器の凹部内に従来のような隙間埋め用ベースプレートを取り付ける必要がなくなり、部品点数を削減して低コスト化を図ることができると共に、ベースプレートの種類を減らすことができるので、部品の管理が容易となり、省施工化を実現できるものである。
【００２４】
また本発明にあっては、便器付属装置が載設される便器の後部のリム面に、該リム面より一段下がった凹部を設け、便器用手すりを取り付けるための手すり取付用ベースプレートを凹部内に着脱可能に収納し、便器付属装置の外殻下面から下方に向かって凹部の底面にて支持される凸部を垂設すると共に、手すり取付用ベースプレートにその厚み方向に凸部が貫通する貫通孔を穿設してなるので、便器用手すりを設置しない場合であっても、便器付属装置を便器付属装置の外殻下面に突設した凸部を便器の凹部の底面にて支持できるので、便器付属装置を凹部にガタツキなく取り付けることができるようになり、従って、便器の凹部内に従来のような隙間埋め用ベースプレートを取り付ける必要がなくなり、部品点数を削減して低コスト化を図ることができると共に、ベースプレートの種類を減らすことができるので、部品の管理が容易となり、省施工化を実現できるものである。さらに便器付属装置の外殻下面に凸部を突設させることで便器付属装置が凸部によって補強されるという効果もある。
【図面の簡単な説明】
【図１】本発明の実施形態の一例を示す分解斜視図である。
【図２】（ａ）は手すり取付用ベースプレートを収納した場合の凹部付近の断面図、（ｂ）は手すり取付用ベースプレートを収納しない場合の凹部付近の断面図である。
【図３】同上の便器付属装置を斜め下方から見た斜視図である。
【図４】他の実施形態の分解斜視図である。
【図５】（ａ）は手すり取付用ベースプレートを収納した場合の凹部付近の断面図、（ｂ）は手すり取付用ベースプレートを収納しない場合の凹部付近の断面図である。
【図６】同上の便器付属装置を斜め下方から見た斜視図である。
【図７】従来例の分解斜視図である。
【符号の説明】
１  便器
１ａ  後部
２  便器用手すり
３  便器付属装置
３ａ  外殻
４  リム面
５  凹部
５ａ  底面
６  手すり取付用ベースプレート
７  凸部
８  貫通孔
【図１】
0003578117.tif 000002
【図２】
0003578117.tif 000003
【図３】
0003578117.tif 000004
【図４】
0003578117.tif 000005
【図５】
0003578117.tif 000006
【図６】
0003578117.tif 000007
【図７】
0003578117.tif 000008